(57)【要約】      （修正有）【課題】本発明は、メモリーカードなどを収納するカード用コネクタに関し、電気的接触の信頼性を向上構成を提供する。【解決手段】メモリーカード用の挿入用開口部１ｂと収納部１ｃとを有するケース本体１ａに、収納部に収納されるメモリーカードの新パッド部に当接する新信号用コンタクト２と前記メモリーカードのパッド部に当接して電気的接触する信号用の信号コンタクト３とを有してなるメモリーカード用のコネクタ１において、前記新信号用コンタクトの先端部を、新パッド部を有しないメモリーカードが収納部に収納された際に当該メモリーカードのケース部のみに当接する山部２ｂと、前記メモリーカードのケース部に当接しないで前記新パッド部を有するメモリーカードが収納部に収納された際に当該メモリーカードの新パッド部のみに当接する山部２ａとに、別々に設けて形成したカード用コネクタとするものである。【選択図】図１
2014146444.tif 000002
【特許請求の範囲】
【請求項１】
メモリーカード用の挿入用開口部と収納部とを有するケース本体に、収納部に収納されるメモリーカードの新パッド部に当接する新信号用コンタクトと前記メモリーカードのパッド部に当接して電気的接触する信号用の信号コンタクトとを有してなるメモリーカード用のコネクタにおいて、
前記新信号用コンタクトの先端部を、
新パッド部を有しないメモリーカードが収納部に収納された際に当該メモリーカードのケース部のみに当接する山部と、
前記メモリーカードのケース部に当接しないで前記新パッド部を有するメモリーカードが収納部に収納された際に当該メモリーカードの新パッド部のみに当接する山部とに、
別々に設けて形成したこと、
を特徴とするカード用コネクタ。
【請求項２】
ケース部と新パッド部とにそれぞれ別々に当接する山部は、当該山の裾野が連続して繋がっていること、
を特徴とする請求項1に記載のカード用コネクタ。
【発明の詳細な説明】
【技術分野】
【０００１】
本発明は、メモリーカードを収納するカード用コネクタに関するものである。
【背景技術】
【０００２】
従来、ＳＤカード（登録商標）やＭＳカード（登録商標）等のメモリーカードは、図４（ａ），（ｂ）に示すように、信号用のパッド部４ａが一列のメモリーカード４と、高速度の信号を伝達するために信号用のパッド部５ａと新信号用パッド部５ｄとの２列のパッド部を有する新しいメモリーカード５とがある。
【０００３】
前記新旧のメモリーカード４，５をいずれも支障なくカード用収納部に収納するカード用コネクタ１０は、図４（ｃ）に示すように、合成樹脂または金属製シェルのケース１０ａと、図５（ａ）に示すように、該ケース１０ａのメモリーカード用収容部に収納され、メモリーカード５の新パッド部５ｄに端部が当接して電気的に接触するとともにコンタクトの一部がケース１０ａに固着された複数個の新信号用コンタクト１１と、前記メモリーカード用収納部に収納されたメモリーカード４，５のパッド部４ａ，５ａに当接して電気的に接触する信号用のコンタクト３とで構成されている（特許文献１参照）。また、前記メモリーカード４，５は、図５（ｂ），（ｃ）に示すように、パッド部厚みｔ１とケース部厚みｔ２とを持つものである。
【０００４】
図６に示すように形成されている前記新信号用コンタクト１１は、メモリーカード用収納部に挿入されたメモリーカード４に対しては、メモリーカード４が収納部に挿入される際に、図７乃至図８に示すように、パッド部４ａとケース部４ｂとの両方に当接して摺接する。また、新信号用コンタクト１１は、メモリーカード５が前記メモリーカード用収納部に収納される際には、当該メモリーカード５のパッド部５ａと新パッド部５ｄに当接して摺接する。
【０００５】
前記新信号用コンタクト１１の先端部１１ｃの形状は、図６に示すように、金属箔板を曲げ加工して一つの曲面で形成されているので、前記新パッド部５ｄで接触する新パッド部用接触端部１１ａの位置と、メモリーカード４のケース部と接触するケース部用接触端部１１ｂの位置とは、新信号用コンタクト１１が異なる角度で撓むことで、接触位置が変化しているはずである。しかしながら、図７乃至図８に示すように、前記先端部１１ｃにおける新パッド部用接触端部１１ａとケース部用接触端部１１ｂとの接触位置の相違は、同一局面内できわめて近傍に位置している。
【先行技術文献】
【特許文献】
【０００６】
【特許文献１】特開２０１２−１８８６３号公報
【発明の概要】
【発明が解決しようとする課題】
【０００７】
よって、カード用コネクタ１０は、メモリーカード４，５のいずれにも対応したコネクタではあるが、新旧のメモリーカード４，５の挿着において、より旧式の前記メモリーカード４の抜き差しが繰り返されると、メモリーカード４のケース部４ｂの削れカスが、前記新信号用コンタクト１１の新パッド部用接触端部１１ａに付着しやすくなり、ケース部４ｂとの摩擦によりケース部用接触端部１１ｂ付近のメッキ層が磨耗する。
【０００８】
前記新信号用コンタクト１１の先端部１１ｃによって、前記ケース部用接触端部１１ｂの削りカスが、前記新パッド部用接触端部１１ａに運ばれて付着し、当該新パッド部５ｄと新信号用コンタクト１１との接触信頼性を低下させる要因となっている。本発明に係るカード用コネクタは、このような課題を解決するために提案されたものである。
【課題を解決するための手段】
【０００９】
本発明に係るカード用コネクタの上記課題を解決して発明の目的を達成するための要旨は、メモリーカード用の挿入用開口部と収納部とを有するケース本体に、収納部に収納されるメモリーカードの新パッド部に当接する新信号用コンタクトと前記メモリーカードのパッド部に当接して電気的接触する信号用の信号コンタクトとを有してなるメモリーカード用のコネクタにおいて、前記新信号用コンタクトの先端部を、新パッド部を有しないメモリーカードが収納部に収納された際に当該メモリーカードのケース部のみに当接する山部と、前記メモリーカードのケース部に当接しないで前記新パッド部を有するメモリーカードが収納部に収納された際に当該メモリーカードの新パッド部のみに当接する山部とに、別々に設けて形成したことである。
【００１０】
前記ケース部と前記パッド部とにそれぞれ別々に当接する山部は、当該山の裾野が連続して繋がっていることを含むものである。
【発明の効果】
【００１１】
本発明のカード用コネクタ１によれば、新信号用コンタクト２の先端部におけるメモリーカード４，５との接触部を、メモリーカード４が挿着された場合にはケース部４ｂと接触する山部であるケース部用接触端部２ｂと、メモリーカード５が挿着された場合には新パッド部５ｄと接触する山部である新パッド部用接触端部２ａとの２箇所に分けたので、ケース部の削れカスが、ケース部４ｂに接触する山部から新パッド部５ｄに接触する山部へと移動して付着することが無くなり、接触信頼性の向上となると言う優れた効果を奏するものである。
また、メモリーカード５の新パッド部５ｄに接触する山部である新パッド部用接触端部２ａは、メモリーカード４のケース部４ｂには接触しないので、当該新パッド部５ｄに接触する山部である新パッド部用接触端部２ａのメッキ磨耗を最小限に抑制することができると言う優れた効果を奏するものである。
【図面の簡単な説明】
【００１２】
【図１】本発明に係るカード用コネクタ１の透視した全体斜視図（ａ）と、新信号用コンタクト２の一部斜視図（ｂ）とである。
【図２】同本発明のカード用コネクタ１にメモリーカード４を収納する途中の状態を示す説明用断面図およびその一部拡大断面図である。
【図３】同本発明のカード用コネクタ１にメモリーカード４を収納した状態を示す説明用断面図およびその一部拡大断面図である。
【図４】メモリーカード４の下方視した斜視図（ａ）と、メモリーカード５の下方視した斜視図（ｂ）と、従来例にかかるカード用コネクタ１０の斜め上から透視した斜視図（ｃ）とである。
【図５】従来例に係るカード用コネクタ１０の収納部に、新式のメモリーカード５を収納した状態の断面図（ａ）と、メモリーカード５の一部を拡大して示す側面図（ｂ）と、メモリーカード４の一部を拡大して示す側面図（ｃ）とである。
【図６】従来例に係るカード用コネクタ１０における新信号用コンタクト１１の一部斜視図である。
【図７】従来例に係るカード用コネクタ１０に、旧式のメモリーカード４を収納する途中の状態を示す説明用断面図およびその一部拡大断面図である。
【図８】従来例に係るカード用コネクタ１０に、旧式のメモリーカード４を収納した状態を示す説明用断面図およびその一部拡大断面図である。
【発明を実施するための形態】
【００１３】
本発明に係るカード用コネクタ１は、図１に示すように、新信号用コンタクト２の先端部を、２箇所の接触部となるように、曲面形状の山部２ａ，２ｂを２個形成したものである。
【実施例１】
【００１４】
本発明に係るカード用コネクタ１は、図１（ａ），（ｂ）に示すように、メモリーカード４、５用の挿入用開口部１ｂと、収納部１ｃとを有するケース本体１ａがある。
【００１５】
前記収納部１ｃに収納されるメモリーカードが、メモリーカード４の場合には該メモリーカード４のケース部４ｂに摺接し、メモリーカード５の場合には、該メモリーカード５の新パッド部５ｄに摺接する新信号用コンタクト２と、前記メモリーカード４，５のパッド部４ａ，５ａのいずれかに当接して電気的接触する信号用の信号コンタクト３とを有してなる。
【００１６】
図２乃至図３に示すように、前記メモリーカード４が前記収納部１ｃに収納される場合に、パッド部４ａとケース部４ｂとにそれぞれ当接する新信号用コンタクト２の先端部２ｃを、前記ケース部４ｂと前記パッド部４ａとにそれぞれ別々に当接する山部を設けて形成した。この山部が、新パッド部用接触端部２ａと、ケース部用接触端部２ｂとである。
【００１７】
前記メモリーカード５が収納部１ｃに収納される場合に、新信号用コンタクト２においては、前記新パッド部用接触端部２ａがパッド部５ａと新パッド部５ｄとに当接し、前記ケース部用接触端部２ｂが前記メモリーカード５のパッド部のいずれにも当接することはない。
【００１８】
図１（ｂ）に示すように、前記メモリーカード４における前記パッド部４ａと、ケース部４ｂとにそれぞれ別々に当接する山部である新パッド部用接触端部２ａと、ケース部用接触端部２ｂとは、曲面状の凸の山に形成され、当該山の裾野が連続して繋がっている。また、その断面形状は、平坦形状、円弧形状、半円形状、凸形状などにして、形成されるものである。
【００１９】
前記新パッド部用接触端部２ａと、ケース部用接触端部２ｂとは、その山部の頂点の位置が、メモリーカード４，５の挿脱方向に沿った方向において、互いに離隔されて接近していない。
【００２０】
このようなカード用コネクタ１によれば、図２乃至図３に示すように、例えば、メモリーカード４を挿入用開口部１ｂから収納部１ｃに向けて差し込むと、前記メモリーカード４のパッド部４ａに、新信号用コンタクト２の新パッド部用接触端部２ａが最初に弾性的に当接する。
【００２１】
前記パッド部４ａの厚みｔ１は、図５（ｃ）に示すように、ケース部厚みｔ２よりも薄いので、新信号用コンタクト２の先端部２ｃの立ち上がり角度が大きくなり、前記先端部２ｃのうち新パッド部用接触端部２ａが、パッド部４ａに当接するものである。
【００２２】
そして、前記メモリーカード４が図２に示す状態から更に収納部１ｃの奥に差し込まれると、図３に示すように、新信号用コンタクト２の先端部２ｃが、メモリーカード４のケース部４ｂに押さえ込まれて低い角度で当接することになり、前記新信号用コンタクト２のケース部用接触端部２ｂがケース部４ｂに当接する。
【００２３】
図３に示すように、メモリーカード４が収納部１ｃに収納完了した状態となり、当該メモリーカード４における前記パッド部４ａには、カード用コネクタ１の信号用コンタクト３の先端部が当接し、ケース部４ｂには前記ケース部用接触端部２ｂが当接する。新パッド部用接触端部２ａはメモリーカード４のケース部４ｂに当接することが無い。
【００２４】
また、前記ケース部用接触端部２ｂも、前記メモリーカード４のパッド部４ａに当接することが無い。よって、前記ケース部用接触端部２ｂとともにケース部４ｂの削れゴミ等がパッド部４ａ，５ａ若しくは新パッド部５ｄに付着する事が無い。更に、新パッド部用接触端部２ａのメッキが剥がされることも無い。
【００２５】
前記メモリーカード４を、カード用コネクタ１の収納部１ｃから引き抜く際にも、新信号用コンタクト２の先端部２ｃが、図２に示すように低い姿勢から立ち上がっても、ケース部用接触端部２ｂがパッド部４ａに当接することが無く、新パッド部用接触端部２ａがパッド部４ａに当接する。
【００２６】
このように、メモリーカード４，５の収納部１ｃへの挿脱作用において、パッド部４ａ，５ａと、そして新パッド部５ｄとには、新信号用コンタクト２のケース部用接触端部２ｂが当接しないので、接触信頼性が向上するものである。
【００２７】
こうして、カード用コネクタ１とメモリーカード４，５とにおける、新信号用コンタクト２によるパッド部４ａ，５ａ、新パッド部５ｄに対するゴミ付着などの障害が除かれる。その結果、信号用コンタクト３の端子とパッド部４ａ，５ａとの電気的接触と、新信号用コンタクト２と新パッド部５ｄとの電気的接触とが良好にして確実に維持される。
【産業上の利用可能性】
【００２８】
本発明に係るカード用コネクタ１は、コンタクトの端子部とメモリーカード若しくはプリント基板などにおけるパッド部との電気的接触部の構造に関して、広く適用できるものである。
【符号の説明】
【００２９】
１          カード用コネクタ、                １ａ      ケース本体、
１ｂ        挿入用開口部、                    １ｃ      収納部、
２          新信号用コンタクト、              ２ａ      新パッド部用接触端部、
２ｂ        ケース部用接触端部、              ２ｃ      先端部、
３          信号用コンタクト、
４          メモリーカード、                  ４ａ      パッド部、
４ｂ        ケース部、                        ４ｃ      先端部、
５          メモリーカード、                  ５ａ      パッド部、
５ｂ        ケース部、                        ５ｃ      先端部、
５ｄ        新パッド部、
１０        従来例に係るカード用コネクタ、    １０ａ    ケース、
１１        新信号用コンタクト、              １１ａ    新パッド部用接触端部、
１１ｂ      ケース部用接触端部、              １１ｃ    先端部。
【図１】
2014146444.tif 000003
【図２】
2014146444.tif 000004
【図３】
2014146444.tif 000005
【図４】
2014146444.tif 000006
【図５】
2014146444.tif 000007
【図６】
2014146444.tif 000008
【図７】
2014146444.tif 000009
【図８】
2014146444.tif 000010